(57)【要約】【課題】遊技場の管理者等が、種々の観点で遊技データに基づいた分析を行うことを支援することが可能な遊技データ分析支援装置を提供する。【解決手段】記憶装置には遊技場の営業日毎の遊技履歴情報が遊技機毎に記憶されている。そしてデータ処理装置は、処理の対象とする遊技機を示す指定遊技機と、２つ以上の営業日時を示す指定営業日と、表示する遊技データの種類を示す指定遊技データと、が指定されると、指定営業日と指定遊技機とに対応する遊技履歴情報を示す対象遊技履歴情報を抽出し、各々の指定営業日に対応する対象遊技履歴情報から、集計間隔時間以上に設定された累積間隔時間毎の指定遊技データの集計結果に基づいた累積データを指定営業日毎に求めて指定営業日毎に並べて表示装置に表示するとともに、集計間隔時間以下に設定された表示間隔時間毎にて、累積間隔時間毎に求めた累積データを表示装置に連続表示する。【選択図】図８
2007319591.tif 000002
【特許請求の範囲】
【請求項１】
遊技場に設けられた複数の遊技機の各々の遊技状態を示す複数種類の遊技データを集計間隔時間毎に集計した遊技履歴情報を記憶する記憶装置と、
前記遊技履歴情報に記憶された前記遊技データを処理するデータ処理装置と、
前記データ処理装置の処理結果を表示する１つ以上の表示装置と、を備えた遊技データ分析支援装置であって、
前記記憶装置には、前記遊技場の営業日毎の前記遊技履歴情報が遊技機毎に記憶されており、
前記データ処理装置は、
処理の対象とする遊技機を示す指定遊技機と、２つ以上の営業日時を示す指定営業日と、表示する遊技データの種類を示す指定遊技データと、が指定されると、前記指定営業日と前記指定遊技機とに対応する遊技履歴情報を示す対象遊技履歴情報を抽出し、
各々の指定営業日に対応する前記対象遊技履歴情報から、前記集計間隔時間以上に設定された累積間隔時間毎の前記指定遊技データの集計結果に基づいた累積データを前記指定営業日毎に求め、
前記累積間隔時間毎に求めた前記指定営業日毎の前記累積データを、前記指定営業日毎に並べて前記表示装置に表示するとともに、前記集計間隔時間以下に設定された表示間隔時間毎にて、前記累積間隔時間毎に求めた累積データを前記表示装置に連続表示する、
ことを特徴とする遊技データ分析支援装置。
【請求項２】
遊技場に設けられた複数の遊技機の各々の遊技状態を示す複数種類の遊技データを集計間隔時間毎に集計した遊技履歴情報を記憶する記憶装置と、
前記遊技履歴情報に記憶された前記遊技データを処理するデータ処理装置と、
前記データ処理装置の処理結果を表示する１つ以上の表示装置と、を備えた遊技データ分析支援装置であって、
前記記憶装置には、前記遊技場の営業日毎の前記遊技履歴情報が遊技機毎に記憶されており、
前記データ処理装置は、
処理の対象とする遊技機を示す指定遊技機と、２つ以上の営業日時を示す指定営業日と、表示する遊技データの種類を示す指定遊技データと、が指定され、基準とする遊技データの種類を示す基準遊技データが指定されると、あるいは前記基準データは予め指定されており、前記指定営業日と前記指定遊技機とに対応する遊技履歴情報を示す対象遊技履歴情報を抽出し、
各々の指定営業日に対応する対象遊技履歴情報から、前記基準遊技データの所定値毎の前記指定遊技データの集計結果に基づいた累積データを前記指定営業日毎に求め、
前記基準遊技データの所定値毎に求めた前記指定営業日毎の前記累積データを、前記指定営業日毎に並べて前記表示装置に表示するとともに、前記集計間隔時間以下に設定された表示間隔時間毎にて、前記基準遊技データの所定値毎に求めた累積データを前記表示装置に連続表示する、
ことを特徴とする遊技データ分析支援装置。
【請求項３】
請求項１または２に記載の遊技データ分析支援装置であって、
前記指定遊技機として、複数の遊技機を指定可能であり、
前記データ処理装置は、
前記複数の遊技機の各々に対して、前記累積データを前記指定営業日毎に求め、
求めた前記累積データを、前記指定営業日毎、且つ前記複数の遊技機毎に並べて前記表示装置に表示するとともに、前記表示間隔時間毎に連続表示する、
ことを特徴とする遊技データ分析支援装置。
【請求項４】
請求項１または２に記載の遊技データ分析支援装置であって、
前記記憶装置には、複数の遊技機で構成されたグループが複数設定されており、
前記指定遊技機として、前記グループの中から１つ以上のグループを指定可能であり、
前記データ処理装置は、
指定したグループを構成している複数の遊技機の各々に対して、前記累積データを前記指定営業日毎に求め、
求めた前記累積データを、前記指定営業日毎、且つ前記複数の遊技機毎に並べて前記表示装置に表示するとともに、前記表示間隔時間毎に連続表示する、
ことを特徴とする遊技データ分析支援装置。
【請求項５】
請求項１または２に記載の遊技データ分析支援装置であって、
前記記憶装置には、複数の遊技機で構成されたグループが複数設定されており、
前記指定遊技機として、前記グループの中から１つ以上のグループを指定可能であり、
前記データ処理装置は、
指定したグループを構成している複数の遊技機の各々に対して、前記累積データを前記指定営業日毎に求め、
求めた前記累積データをグループ毎に平均化した平均累積データを、前記指定営業日毎、且つグループ毎に並べて前記表示装置に表示するとともに、前記表示間隔時間毎に連続表示する、
ことを特徴とする遊技データ分析支援装置。
【請求項６】
請求項１〜５のいずれかに記載の遊技データ分析支援装置であって、
前記表示装置に並べて表示されるとともに連続表示される、累積データあるいは平均累積データは、当該累積データあるいは平均累積データの示す累積値に応じたサイズのグラフ形状、あるいは、当該累積データあるいは平均累積データの示す累積値に応じた色彩にて、前記表示装置に並べて表示されるとともに、前記表示間隔時間毎に連続表示される、
ことを特徴とする遊技データ分析支援装置。
【請求項７】
請求項１〜６のいずれかに記載の遊技データ分析支援装置であって、
表示装置が複数の場合、
前記表示装置に並べて表示されるとともに連続表示される、累積データあるいは平均累積データは、１つの表示装置に並べて表示される、あるいは、複数の表示装置の各々に各累積データあるいは各平均累積データを表示することで並べて表示される、
ことを特徴とする遊技データ分析支援装置。
【発明の詳細な説明】
【技術分野】
【０００１】
本発明は、遊技場に設置した遊技機の遊技状態を示す遊技データの分析を支援する遊技データ分析支援装置に関する。
【背景技術】
【０００２】
遊技場では、設置された遊技機の各々の遊技データ（遊技機に投入された遊技媒体数を示すアウト数や、獲得した遊技媒体数を示すセーフ数や、通常よりもより多くの遊技媒体を獲得できる特賞状態であるか否か等）を収集し、収集した遊技データを種々の観点から分析して集客率の向上等に役立てている。
例えば、特許文献１に記載された従来技術では、特定のパラメータの変化に伴った遊技状態の推移を容易に把握することができるように、時間や所定の遊技データ（アウト数や特賞回数等を示す特定パラメータ）の変化に対応するビジュアル画面を作成し、これを連続表示することで、時間や所定の遊技データの変化に伴う遊技データの推移を動画表示する遊技情報表示装置が提案されている。
【特許文献１】特開２００４−１２９７１７号公報
【発明の開示】
【発明が解決しようとする課題】
【０００３】
特許文献１に記載された従来技術では、特定のパラメータの変化に伴った遊技データの推移を容易に把握できるが、例えば、異なる日時の遊技データの比較をしたい場合は、各々の日時を設定して別々に表示する必要があった。
【０００４】
本発明は、このような点に鑑みて創案されたものであり、遊技場の管理者等が、種々の観点で遊技データに基づいた分析を行うことを支援することが可能な遊技データ分析支援装置を提供することを課題とする。
【課題を解決するための手段】
【０００５】
上記課題を解決するための手段として、本発明の第１発明は、請求項１に記載されたとおりの遊技データ分析支援装置である。
請求項１に記載の遊技データ分析支援装置は、遊技場に設けられた複数の遊技機の各々の遊技状態を示す複数種類の遊技データを集計間隔時間毎に集計した遊技履歴情報を記憶する記憶装置と、前記遊技履歴情報に記憶された前記遊技データを処理するデータ処理装置と、前記データ処理装置の処理結果を表示する１つ以上の表示装置と、を備えた遊技データ分析支援装置である。
前記記憶装置には、前記遊技場の営業日毎の前記遊技履歴情報が遊技機毎に記憶されている。
そして、前記データ処理装置は、処理の対象とする遊技機を示す指定遊技機と、２つ以上の営業日時を示す指定営業日と、表示する遊技データの種類を示す指定遊技データと、が指定されると、前記指定営業日と前記指定遊技機とに対応する遊技履歴情報を示す対象遊技履歴情報を抽出し、各々の指定営業日に対応する前記対象遊技履歴情報から、前記集計間隔時間以上に設定された累積間隔時間毎の前記指定遊技データの集計結果に基づいた累積データを前記指定営業日毎に求め、前記累積間隔時間毎に求めた前記指定営業日毎の前記累積データを、前記指定営業日毎に並べて前記表示装置に表示するとともに、前記集計間隔時間以下に設定された表示間隔時間毎にて、前記累積間隔時間毎に求めた累積データを前記表示装置に連続表示する。
【０００６】
また、本発明の第２発明は、請求項２に記載されたとおりの遊技データ分析支援装置である。
請求項２に記載の遊技データ分析支援装置は、遊技場に設けられた複数の遊技機の各々の遊技状態を示す複数種類の遊技データを集計間隔時間毎に集計した遊技履歴情報を記憶する記憶装置と、前記遊技履歴情報に記憶された前記遊技データを処理するデータ処理装置と、前記データ処理装置の処理結果を表示する１つ以上の表示装置と、を備えた遊技データ分析支援装置である。
前記記憶装置には、前記遊技場の営業日毎の前記遊技履歴情報が遊技機毎に記憶されている。
そして、前記データ処理装置は、処理の対象とする遊技機を示す指定遊技機と、２つ以上の営業日時を示す指定営業日と、表示する遊技データの種類を示す指定遊技データと、が指定され、基準とする遊技データの種類を示す基準遊技データが指定されると、あるいは前記基準データは予め指定されており、前記指定営業日と前記指定遊技機とに対応する遊技履歴情報を示す対象遊技履歴情報を抽出し、各々の指定営業日に対応する対象遊技履歴情報から、前記基準遊技データの所定値毎の前記指定遊技データの集計結果に基づいた累積データを前記指定営業日毎に求め、前記基準遊技データの所定値毎に求めた前記指定営業日毎の前記累積データを、前記指定営業日毎に並べて前記表示装置に表示するとともに、前記集計間隔時間以下に設定された表示間隔時間毎にて、前記基準遊技データの所定値毎に求めた累積データを前記表示装置に連続表示する。
【０００７】
また、本発明の第３発明は、請求項３に記載されたとおりの遊技データ分析支援装置である。
請求項３に記載の遊技データ分析支援装置は、請求項１または２に記載の遊技データ分析支援装置であって、前記指定遊技機として、複数の遊技機を指定可能である。
そして、前記データ処理装置は、前記複数の遊技機の各々に対して、前記累積データを前記指定営業日毎に求め、求めた前記累積データを、前記指定営業日毎、且つ前記複数の遊技機毎に並べて前記表示装置に表示するとともに、前記表示間隔時間毎に連続表示する。
【０００８】
また、本発明の第４発明は、請求項４に記載されたとおりの遊技データ分析支援装置である。
請求項４に記載の遊技データ分析支援装置は、請求項１または２に記載の遊技データ分析支援装置であって、前記記憶装置には、複数の遊技機で構成されたグループが複数設定されており、前記指定遊技機として、前記グループの中から１つ以上のグループを指定可能である。
そして、前記データ処理装置は、指定したグループを構成している複数の遊技機の各々に対して、前記累積データを前記指定営業日毎に求め、求めた前記累積データを、前記指定営業日毎、且つ前記複数の遊技機毎に並べて前記表示装置に表示するとともに、前記表示間隔時間毎に連続表示する。
【０００９】
また、本発明の第５発明は、請求項５に記載されたとおりの遊技データ分析支援装置である。
請求項５に記載の遊技データ分析支援装置は、請求項１または２に記載の遊技データ分析支援装置であって、前記記憶装置には、複数の遊技機で構成されたグループが複数設定されており、前記指定遊技機として、前記グループの中から１つ以上のグループを指定可能である。
そして、前記データ処理装置は、指定したグループを構成している複数の遊技機の各々に対して、前記累積データを前記指定営業日毎に求め、求めた前記累積データをグループ毎に平均化した平均累積データを、前記指定営業日毎、且つグループ毎に並べて前記表示装置に表示するとともに、前記表示間隔時間毎に連続表示する。
【００１０】
また、本発明の第６発明は、請求項６に記載されたとおりの遊技データ分析支援装置である。
請求項６に記載の遊技データ分析支援装置は、請求項１〜５のいずれかに記載の遊技データ分析支援装置であって、前記表示装置に並べて表示されるとともに連続表示される、累積データあるいは平均累積データは、当該累積データあるいは平均累積データの示す累積値に応じたサイズのグラフ形状、あるいは、当該累積データあるいは平均累積データの示す累積値に応じた色彩にて、前記表示装置に並べて表示されるとともに、前記表示間隔時間毎に連続表示される。
【００１１】
また、本発明の第７発明は、請求項７に記載されたとおりの遊技データ分析支援装置である。
請求項７に記載の遊技データ分析支援装置は、請求項１〜６のいずれかに記載の遊技データ分析支援装置であって、表示装置が複数の場合、前記表示装置に並べて表示されるとともに連続表示される、累積データあるいは平均累積データは、１つの表示装置に並べて表示される、あるいは、複数の表示装置の各々に各累積データあるいは各平均累積データを表示することで並べて表示される。
【発明の効果】
【００１２】
請求項１に記載の遊技データ分析支援装置では、累積間隔時間毎（例えば１０分毎）の指定遊技データ（例えばアウト数）の集計結果に基づいた累積データを表示間隔時間毎（例えば１秒毎）に表示し、指定営業日毎の累積データを並べて連続表示することで、異なる日時の累積データを同時に表示する。
これにより、遊技場の管理者等は、時間を基準として、異なる日時の累積データ（指定遊技データの累積）を容易に比較することが可能であり、その差等を容易に認識することができる。このように、種々の観点で遊技データに基づいた分析を行うことを支援することができる。
【００１３】
また、請求項２に記載の遊技データ分析支援装置では、基準遊技データの所定値毎（例えばアウト数が１０００毎）の指定遊技データ（例えば特賞回数）の集計結果に基づいた累積データを表示間隔時間毎（例えば１秒毎）に表示し、指定営業日毎の累積データを並べて連続表示することで、異なる日時の累積データを同時に表示する。
これにより、遊技場の管理者等は、任意の遊技データあるいは予め指定された遊技データ（基準遊技データ）の変化を基準として、異なる日時の累積データ（指定遊技データの累積）を容易に比較することが可能であり、その差等を容易に認識することができる。このように、種々の観点で遊技データに基づいた分析を行うことを支援することができる。
【００１４】
また、請求項３に記載の遊技データ分析支援装置では、異なる日時の累積データを並べて連続表示する際、複数の遊技機のそれぞれの累積データを並べて表示する。
これにより、遊技場の管理者等は、異なる日時の各々における各遊技機の累積データの推移を同時に認識及び比較することができるので、その差等を容易に認識することができる。このように、種々の観点で遊技データに基づいた分析を行うことを支援することができる。
【００１５】
また、請求項４に記載の遊技データ分析支援装置では、異なる日時の累積データを並べて連続表示する際、予め設定されたグループを指定することで、グループを構成している複数の遊技機のそれぞれの累積データを並べて表示する。
これにより、遊技場の管理者等は、複数の遊技機をグループとして設定しておくことで所望する複数の遊技機を容易に指定することが可能であり、便利である。
【００１６】
また、請求項５に記載の遊技データ分析支援装置では、異なる日時の累積データ（または平均累積データ）を並べて連続表示する際、予め設定されたグループを指定し、更にグループを構成している複数の遊技機の累積データを平均化して並べて表示する。
これにより、遊技場の管理者等は、複数の遊技機をグループとして設定しておくことで所望する複数の遊技機を容易に指定することが可能である。また平均化することで、異なる台数のグループ間の比較を行う場合等にて、適切に比較を行うことが可能であり、便利である。
【００１７】
また、請求項６に記載の遊技データ分析支援装置では、異なる日時の累積データを並べて連続表示する際における連続表示は、累積データあるいは平均累積データの示す累積値に応じたサイズのグラフ形状（例えば、棒グラフ状に表示し、表示間隔時間毎に当該棒グラフが伸びる）が連続表示によって形状が伸びていく様子や、前記累積値に応じた色彩にする。これにより、遊技場の管理者等は、連続表示によって伸びていくグラフ形状や、変化する色彩を確認することで、適切に比較を行うことが可能であり、便利である。
【００１８】
また、請求項７に記載の遊技データ分析支援装置では、表示装置が複数の場合、並べて連続表示する際、１つの表示装置に並べて表示してもよいし、複数の表示装置の各々に表示することで並べて表示（表示装置を並べる）してもよい。
このように、表示装置の台数に応じて、遊技場の管理者等が、より見易い表示を行うことが可能であり、管理者等が遊技データに基づいた分析を行うことを支援することができる。
【発明を実施するための最良の形態】
【００１９】
以下に本発明を実施するための最良の形態を図面を用いて説明する。
図１は、遊技場における各機器の接続の例を示している。
●［遊技場における各機器の接続（図１、図２）］
図１に示すように、遊技場には、管理サーバ１０、遊技場内の各島に配置される島ユニット２０、遊技機５０及び遊技機５０の周辺機器（図示省略）に接続される台ユニット３０、遊技機５０に併設される台端末装置４０、遊技機５０、遊技機５０の台番号等を表示する台表示機６０、プリペイドカード発行機７０、投入された遊技媒体数を数える計数器７１、遊技媒体と景品の交換を行う景品交換機７２等の機器が設けられており、各機器は通信回線８１、９１等を介して接続されている。
【００２０】
台ユニット３０は、自己に接続された遊技機５０（及び遊技機５０の周辺機器）の遊技状態を検出し、検出した遊技状態に基づいた遊技データを台番号とともに島ユニット２０及び通信回線８２、８１を介して管理サーバ１０に送信する。
図２に示すように、台ユニット３０は、遊技機５０の信号出力端子５０ａから出力される入賞信号（始動入賞口に入賞したタイミングで出力されるパルス信号）、図柄変動停止信号（変動が開始された図柄の全てが停止したタイミングで出力されるパルス信号）、特賞状態信号（大当たり状態であることを示す特別入賞状態であることを所定レベル（ＨｉｇｈレベルまたはＬｏｗレベル）で出力する信号）や、補給・回収装置５２（周辺機器に相当）の信号出力端子５２ａから出力されるセーフ信号（例えば遊技媒体１０個の補給（遊技者への払い出し）で１パルスを出力する信号）、アウト信号（例えば遊技媒体１０個の回収（遊技者からの投入）で１パルスを出力する信号）を検出してその検出結果を、例えば集計間隔時間毎（１分毎等）に、島ユニット２０を介して管理サーバ１０に送信する。なお図１では、補給・回収装置５２の記載を省略している。また、アウト信号、セーフ信号は、遊技機５０から出力されていてもよい。
なお、上記の特賞状態信号の他にも、時短状態信号や確率変動状態信号がある場合は、それらを用いて、大当たり状態であることを検出してもよい。
【００２１】
また、台端末装置４０は遊技媒体貸出装置であり、一般的には、会員カード受付口にて受付けた会員カードから読み取った会員ＩＤ、プリペイドカード受付口にて受付けたプリペイドカードから引き落とした金額情報、あるいは投入された現金に関する情報を会員ＩＤや台番号とともに通信回線９１を介して管理サーバ１０に送信する。なお、金額情報は、通信回線９２にて台ユニット３０にも送信される。また、遊技機５０がいわゆるＣＲ機でなく且つ当該遊技機で貯玉システムが適用されていない場合は、台端末装置４０と管理サーバ１０とを直接接続する通信回線９１が接続されてなく、台端末装置４０は金額情報を通信回線９２にて台ユニット３０に送信する。台端末装置４０は種々の形態で管理サーバ１０及び台ユニット３０と接続される。
また、台端末装置４０は、会員カード受付口にて会員カードを受付けると、管理サーバ１０に記憶されている貯玉データベースにアクセスすることが可能となり、会員からの指示に応じて遊技媒体の引き落としが可能となる。なお、預け入れは計数機７１等から行い、計数機７１は会員からの指示に応じて、計数した遊技媒体の数を貯玉データベースに反映する。
【００２２】
本発明の遊技データ分析支援装置は、例えば管理サーバ１０に相当し、当該管理サーバ１０がデータ処理装置、及び記憶装置、及び表示装置１１を備えている。そして当該管理サーバ１０が、各遊技機に投入された遊技媒体数を示すアウト数と、各遊技機から払い出された遊技媒体数を示すセーフ数等の複数種類の遊技データが記憶された遊技履歴情報（詳細は図３を用いて後述する）を用いて、遊技場の管理者等が遊技データの分析を支援するための情報を提供する。
なお、図１は、表示装置１１を２台備えた例を示しているが、表示装置１１は１台以上の任意の台数（一般的には１台〜４台程度）を備えることが可能である。
【００２３】
●［遊技履歴情報の例（図３）］
次に図３を用いて、管理サーバ１０からアクセス可能な記憶装置に記憶されている遊技履歴情報（１２Ａ、１２Ａ２・・）の例について説明する。
例えば、遊技履歴情報は、遊技機毎及び遊技場の営業日毎に記憶されており、図３に示す遊技履歴情報１２Ａは、２００６年４月２５日における台番号１の遊技機に対する遊技履歴情報である。遊技履歴情報１２Ａは、集計間隔時間毎（この例では、１分毎）に各種類の遊技データ（アウト数、セーフ数等）に関するデータが記録される。次に、遊技履歴情報１２Ａにおける各項目について説明する。
以下の説明では、遊技履歴情報は、複数種類の遊技データの各々を集計間隔時間毎に集計して記憶している図３の例で説明するが、遊技履歴情報は、複数種類の遊技データの各々を集計間隔時間毎に累積して記憶するようにしてもよい。
【００２４】
「時刻」には、その「行」の項目（アウト数、セーフ数・・）の各値を検出した期間に関する時刻が記憶されており、この例では、時間：分が記憶されている。例えば１０：０１の行では、各項目は１０（時）：００（分）〜１０（時）：０１（分）の期間に検出された値であることを示している。
「アウト数」には、前記「時刻（期間）」において遊技機に投入された遊技媒体の数が記憶されている。
「セーフ数」には、前記「時刻（期間）」において遊技機から払い出された遊技媒体の数が記憶されている。
「貸出金額」には、前記「時刻（期間）」において遊技媒体貸出装置でもある台端末装置４０に投入された現金やプリペイドカード等に関する情報に基づいた金額が記憶されている。
「貯玉引落数」には、前記「時刻（期間）」において遊技者からの指示に応じて台端末装置４０を用いて引き落とされた遊技媒体数が記憶されている。
「始動数」には、前記遊技者が当該遊技機で遊技している間に特賞状態の抽選を行う入賞始動口に入賞し、遊技機の図柄が変動して抽選が行われた回数が記憶されている。
「特賞状態」には、前記「時刻（期間）」において特賞状態であるか否かが記憶されている。この場合、「０」は特賞状態でないことを示しており、「１」は特賞状態であることを示している。
【００２５】
●●［第１の実施の形態（図４〜図１２）］
第１の実施の形態は、指定した遊技機（単数あるいは複数）において、異なる日時（営業日時）の遊技データを並べて表示し、時間の経過に伴って変化する遊技データの状態（例えば１０分毎の累積データ）を表示間隔時間毎（例えば１秒毎）に変化させて連続表示することで動画表示するものである。
【００２６】
●［指定遊技機が単数の場合（図４、図５）］
まず、図４及び図５を用いて、指定した遊技機が単数の場合における管理サーバ１０（遊技データ分析支援装置に相当）の動作について説明する。
管理サーバ１０からアクセス可能な記憶装置（例えば管理サーバ１０に内蔵されており、図示は省略する）には、遊技履歴情報１２Ａ、１２Ｂ（図３参照）が記憶されている。なお、遊技履歴情報１２Ａ、１２Ｂの例では、複数の遊技機５０の各々について、複数種類の遊技データ（アウト数、セーフ数等）を集計間隔時間毎（図３の例では１分毎）に集計したデータが、遊技場の営業日毎に記憶されている。
【００２７】
そして、管理サーバ１０は、処理対象（分析対象）の遊技機を示す指定遊技機と、２つ以上の営業日時を示す指定営業日と、並べて表示する遊技データの種類を示す指定遊技データとが指定されると、指定営業日に対応する指定遊技機の遊技履歴情報（対象遊技履歴情報に相当）を記憶装置から抽出する。これらの指定は、管理者等が管理サーバ１０を操作して、所定の入力画面等を表示させ、当該入力画面等から入力して指定する。
例えば図４に示す例では、指定遊技機として「１番台の遊技機」を指定し、指定営業日時として「２００６年４月２６日」と「２００６年４月２７日」を指定し、指定遊技データとして「アウト数」を指定した例を示している。
この場合、管理サーバ１０は、まず２００６年４月２６日の１番台の遊技履歴情報と、２００６年４月２７日の１番台の遊技履歴情報とを対象遊技履歴情報として抽出する。
なお、指定営業日は、「２００６年４月２６日１０時００分〜２２時００分」等、時刻の指定まで可能に構成することもできる（この場合、指定された時刻の範囲の遊技履歴情報を抽出する）。
【００２８】
そして、管理サーバ１０は、対象遊技履歴情報から指定遊技データに指定されたアウト数と時刻とを抜き出す。更に、累積間隔時間毎の指定遊技データの変化を表示するため、指定遊技データが、累積間隔時間毎の値となるように加工する。累積間隔時間は、予め設定されており、以下の説明では累積間隔時間が１０分に設定されている例を説明する。なお、累積間隔時間は、遊技履歴情報の時間間隔（集計間隔時間であり、この場合は１分）以上であり、遊技履歴情報の時間間隔の整数倍（この場合、１０倍）とすることが好ましい。
この場合、対象遊技履歴情報として抽出した遊技履歴情報は１分毎の遊技データが記憶されているので（図３参照）、管理サーバ１０は、これを１０分毎の遊技データとなるように加工した加工遊技履歴情報を作成する。
図４に、２００６年４月２６日の１番台の遊技履歴情報から、時刻とアウト数（指定遊技データ）を抜き出し、１０分毎のアウト数となるように加工した加工遊技履歴情報１３Ａの例を示す。例えば、この加工遊技履歴情報１３Ａにおける時刻「１０（時）：００（分）」におけるアウト数は、２００６年４月２６日の１番台の遊技履歴情報における時刻「１０（時）：００（分）」のアウト数が記憶され、加工遊技履歴情報１３Ａにおける時刻「１０（時）：１０（分）」におけるアウト数は、２００６年４月２６日の１番台の遊技履歴情報における時刻「１０（時）：０１（分）〜１０（時）：１０（分）」のアウト数の合計（集計結果）が記憶されており、以下同様にそれぞれ１０分間の合計（集計結果）が記憶されている。
【００２９】
なお、図４の例に示す加工遊技履歴情報１３Ａは、累積データ（順方向）と累積データ（逆方向）も記憶されている。累積データ（順方向）は、時刻の経過する方向（順方向）に、アウト数の値を累積した結果が記憶されている。この場合、時刻１０：００のアウト数から時刻２２：００のアウト数の方向に累積されている。また、累積データ（逆方向）は、時刻の経過する方向に遡る方向（逆方向）に、アウト数を累積した結果が記憶されている。この場合、時刻２２：００のアウト数から時刻１０：００のアウト数の方向に累積されている。
また、図４に示す加工遊技履歴情報１３Ｂの例は、上記と同様にして作成した、２００６年４月２７日の１番台の遊技履歴情報から、時刻とアウト数（指定遊技データ）を抜き出し、１０分毎のアウト数となるように加工したものである。
【００３０】
そして管理サーバ１０は、各々の指定営業日に対応する対象遊技履歴情報から、集計間隔時間以上（遊技履歴情報の集計間隔時間以上）に設定された累積間隔時間毎の指定遊技データの集計結果に基づいた累積データを、表示間隔時間毎に表示装置１１に連続表示する。また、表示の際は、各々の指定営業日に対応させて並べて表示することが好ましい（図５参照）。
図５に示す例は管理サーバ１０の表示装置１１に表示された表示画面Ｇ１の例を示している。縦軸を指定遊技データ（この例ではアウト数）の値とした棒グラフ形状で示し、各々の指定営業日における指定遊技データを並べて表示し、１０分毎（累積間隔時間毎）の累積データを１秒毎（表示間隔時間毎）に連続表示することで、棒グラフの変化に動きを与えて動画状に表示する。この例では、図４に示す加工遊技履歴情報１３Ａ、１３Ｂの「累積データ（順方向）」の値を、順に表示する。
なお、図５の表示画面Ｇ１は、１台の表示装置１１に累積データを並べて表示する例を示しているが、例えば表示装置１１が２台の場合、２００６年４月２６日の累積データと２００６年４月２７日の累積データとを、２台の表示装置１１のそれぞれに表示させることで並べて表示するようにしてもよい。
【００３１】
なお、図５に示す例において、「開始時刻」には図４に示す加工遊技履歴情報１３Ａ及び１３Ｂの表示開始位置を示す時刻が表示されており、「終了時刻」には表示終了位置を示す時刻が表示されている。この開始時刻と終了時刻を任意に指定できるように構成することも可能である。また、「累計時刻」には、現在表示している累積データが、「開始時刻」から「終了時刻」の間において、どの時点の表示であるかを示している。
また、図５に示す表示画面Ｇ１において、「再生」ボタンを操作すると、「累計時刻」が表示間隔時間毎に増加し、累計時刻に応じた累積データが棒グラフで表示される。「停止」ボタンを操作すると、その時点の累計時刻の累積データを表示した状態で停止して表示間隔時間毎の連続表示を停止する。
そして、表示間隔時間毎の連続表示を停止しているときに「再生」ボタンが操作されると停止していた累計時刻の位置から表示間隔時間毎の連続表示を再開し、表示間隔時間毎の連続表示を停止しているときに「逆再生」ボタンが操作されると停止していた累計時刻の位置から累計時刻が遡る方向に連続表示を再開する（この場合、時刻が遡るので、累積データを示す棒グラフの高さが徐々に低くなる）。
【００３２】
また、図５に示す表示画面Ｇ１では、「再生方向」について「順方向」と「逆方向」を選択可能に構成している。
「順方向」を選択した場合は、上記に説明したように、時刻の経過した方向に、加工遊技履歴情報１３Ａ及び１３Ｂにおける各時刻に対応する累積データ（順方向）を表示間隔時間毎に表示する。この場合、まず時刻１０：００の累積データ（順方向）を表示し、表示間隔時間経過後に時刻１０：１０の累積データ（順方向）を表示し、さらに表示間隔時間経過後に時刻１０：２０の累積データ（順方向）を表示する動作を行う。
「逆方向」を選択した場合は、時刻を遡る方向に、加工遊技履歴情報１３Ａ及び１３Ｂにおける各時刻に対応する累積データ（逆方向）を表示間隔時間毎に表示する。この場合、まず、時刻２２：００の累積データ（逆方向）を表示し、表示間隔時間経過後に時刻２１：５０の累積データ（逆方向）を表示し、さらに表示間隔時間経過後に時刻２１：４０の累積データ（逆方向）を表示する動作を行う。
この「逆方向」については第２の実施の形態にて説明する。
【００３３】
●［指定遊技機が複数の場合（図６〜図１０）］
次に、図６〜図１０を用いて、指定した遊技機が複数の場合における管理サーバ１０（遊技データ分析支援装置に相当）の動作について説明する。
例えば図６に示す例では、指定遊技機として「１番台、２番台・・Ｎ番台の遊技機」を指定し、指定営業日として「２００６年４月２６日」と「２００６年４月２７日」を指定し、指定遊技データとして「アウト数」を指定した例を示している。
この場合、管理サーバ１０は、まず２００６年４月２６日の１番台〜Ｎ番台の遊技履歴情報と、２００６年４月２７日の１番台〜Ｎ番台の遊技履歴情報とを対象遊技履歴情報として抽出する。
【００３４】
以下、１番台〜Ｎ番台の各遊技機に対して、上記の［指定遊技機が単数の場合］の説明と同様にして加工遊技履歴情報（１３Ａ、１３Ａ２・・）を作成し（図６参照）、各々の指定営業日における、遊技機毎の累積間隔時間毎の累積データを並べて表示する（図７参照）とともに表示間隔時間毎に連続表示する。
なお、並べて表示する例として、図７の表示画面Ｇ２の例では、各々の指定営業日毎の座標軸を用いた例を示しているが、図８の表示画面Ｇ３の例に示すように、同一の座標軸を用いて、指定遊技機毎に、各々の指定営業日毎の結果を隣接するように並べて表示すると、差がより明確にわかる。
また、例えば表示装置１１が２台の場合、図７に示す表示画面Ｇ２における２００６年４月２６日の累積データと２００６年４月２７日の累積データとを、２台の表示装置１１のそれぞれに表示させることで並べて表示するようにしてもよい。
【００３５】
上記の説明では、複数の遊技機を１台ずつ指定する例を説明したが、遊技場では遊技機の種類（ＣＲ機、権利物等）や、型番（Ａ社製○○物語、Ｂ社製キャラクタ△△等）の遊技機で、各々のグループを構成している場合が多い。この場合、管理サーバ１０の記憶装置には、複数のグループで構成されたグループが複数設定されている。複数の遊技機を指定する場合、このグループを指定可能に構成すれば、便利である。
そこで、指定遊技機として、グループの中から１つ以上のグループを指定可能に構成すると便利である。
例えば、グループＡに１番台〜Ｎ番台が設定されている場合、管理者等は、指定遊技機を入力する際、１番台、２番台〜Ｎ番台を入力することなく、「グループＡ」を入力するだけで、上記に説明した図７あるいは図８の例に示した表示を表示装置１１に表示させることができる。
【００３６】
また、指定遊技機として「グループＡ」と「グループＢ」等、複数のグループを設定し、各グループを構成している全遊技機の結果を表示することも可能である。
遊技場では、グループ毎に遊技機の稼働率等の評価を行い、評価結果に応じてグループ毎に新台入替えを行うことが多い。ここで、各グループを構成している遊技機の数は同一とは限らないため、グループ毎の平均を確認できると便利である。
例えば、指定遊技機としてグループＡ、グループＢ、グループＣの３つのグループを指定し、「グループ毎に平均化して出力」する指定を行う。
この場合、表示装置１１への表示例は、図９に示す表示画面Ｇ４となる。図９の例は、さらに指定営業日として、２００６年４月２６日、２００６年４月２７日、２００６年４月２８日を指定した例を示している。
この場合、指定したグループを構成している複数の遊技機の各々に対して、累積データを指定営業日毎に求め（図６を参照）、求めた累積データをグループ毎に平均化した平均累積データを、指定営業日毎、且つグループ毎に並べて表示装置１１に表示するとともに、表示間隔時間にて連続表示する。
なお、指定遊技機としてグループＡのみを指定し、「グループ毎に平均化して出力」する指定を行い、指定営業日として、２００６年４月２６日、２００６年４月２７日、２００６年４月２８日を指定した場合は、図１０の例に示す表示画面Ｇ５となる。
【００３７】
●［その他の表示例（図１１〜図１２）］
上記の説明では、指定営業日として２つあるいは３つの異なる日を設定したが、４つ以上の指定営業日を設定することも可能である。例えば、指定営業日として２００６年４月を指定した場合における表示画面Ｇ６の例を図１１に示す。図１１に示す例は、２００６年４月のカレンダを表示し、各日の位置に、その日の累積データ（または平均累積データ）をグラフ状に表示している。各日の位置内のグラフ状の表示は、各々が図９の例に示したグラフと同様な表示がなされており、表示間隔時間毎に連続表示され、動画状に表示される。なお、図１１に示す例は、２００６年４月２７日の営業時間終了後に行った表示結果の例を示しており、２８日〜３０日の遊技履歴情報がまだ記憶装置に記憶されていないため、２８日〜３０日の位置にはグラフが表示されていない。
この表示により、遊技場の管理者等は、曜日による指定遊技データ（累積データ）の差や、顧客の給料日等の特定の日による指定遊技データ（累積データ）の差を読み取ることができるので便利である。
【００３８】
また、上記の説明では、表示装置１１に表示する累積データを、棒グラフ状にて表示したが、図１２に示すような遊技場内マップ（遊技場内の各台番号の遊技機の配置を示すマップ）を表示して、各台番号の遊技機の累積データに応じた色彩にて連続表示することも可能である。
図１２に示す表示画面Ｇ７の例は、指定遊技機として１番台〜６０番台の遊技機を指定し、指定営業日として２００６年４月２７日と２００６年４月２６日を指定し、指定遊技データとして特賞回数を指定した場合の例を示している。例えば、特賞回数は、図３の例に示す遊技履歴情報１２Ａにおいて、特賞状態の項目にて０（ゼロ）から１への変化がある回数に相当する。そして表示装置１１には、２００６年４月２６日の遊技場内マップと２００６年４月２７日の遊技場内マップとが並んで表示され、時刻１０：００からの累積間隔時間毎の特賞回数の累積データを、表示間隔時間毎に各遊技機の色彩を変化させて連続表示する。図１２の例では、各色彩を、特賞回数０〜１回と、特賞回数２〜３回と、特賞回数４回以上の３通りの色彩に変化させて連続表示する例を示している。
また、例えば表示装置１１が２台の場合、図１２に示す表示画面Ｇ７における２００６年４月２６日の遊技場内マップと２００６年４月２７日の遊技場内マップとを、２台の表示装置１１のそれぞれに表示させることで並べて表示するようにしてもよい。
【００３９】
●［基準とする遊技データの所定値毎の累積データの表示（図１３）］
以上の説明では、時間の経過を基準として、累積間隔時間毎に指定遊技データの累積データを求めて、表示間隔時間毎に連続表示したが、基準とする遊技データを指定して、この基準遊技データの所定値毎に指定遊技データの累積データを求めて、表示間隔時間毎に連続表示することも可能である。
例えば、基準遊技データとしてアウト数を設定して所定値を１０００個に設定する。そして指定遊技データとして特賞回数を設定し、指定遊技機として２番台を設定し、指定営業日として２００６年４月２９日と２００６年４月３０日とを指定した場合の例を示す。
なお、基準遊技データは、上記のように管理サーバ１０を操作して任意に設定可能と構成してもよいし、予め所定の遊技データを設定させてもよい。通常、遊技場では稼働率の基準としてアウト数を用いることが多いので、例えばアウト数を基準遊技データとして設定（固定）しておくと設定する手間を省略することができる。
この場合の加工遊技履歴情報１４Ａ、１４Ｂの例を図１３に示す。加工遊技履歴情報１４Ａは、２００６年４月２９日の２番台の遊技履歴情報に、アウト数（累積値）と特賞回数（累積値）を加えたものである。
表示装置１１に表示される表示画面Ｇ８は、アウト数１０００個毎に累積された特賞回数（累積値（累積データに相当））が、並んで表示されるとともに、表示間隔時間毎に連続表示される。なお、アウト数（累積値）は、１０００の倍数になるとは限らない。例えばアウト数（累積値）が１０００個の場合の特賞回数は、加工遊技履歴情報１４Ａにおいては、アウト数（累積値）が１０３０個のときの特賞回数（累積値）が表示される。
【００４０】
●●［第２の実施の形態（図１４〜図１６）］
第２の実施の形態は、指定した営業日において、指定した遊技機の、時刻の経過に伴って変化する遊技データの状態（例えば１０分毎の累積データ）を時刻を遡る方向に求め、表示間隔時間毎（例えば１分毎）に変化させて連続表示することで動画表示するものである。遊技データを、時刻を遡る方向に累積して分析することで、新たな発見に気づく場合もある。
【００４１】
●［第１の実施の形態との相違点と動作の概要］
第２の実施の形態では、指定遊技データにおける累積間隔時間毎の累積データを、時刻の経過に対して遡る方向に累積している点が第１の実施の形態とは異なる。
例えば、指定営業日として２００６年４月２６日を指定し、指定遊技機として１番台と２１番台を設定し、指定遊技データとしてアウト数を指定した場合の例を図１４及び図１５に示す。
この場合、管理サーバ１０は、記憶装置から２００６年４月２６日の１番台の遊技履歴情報と、２００６年４月２６日の２１番台の遊技履歴情報とを対象遊技履歴情報として抽出する。そして、第１の実施の形態の説明と同様にして、加工遊技履歴情報１３Ａ、１３Ｍを作成する。
図１５に示す表示装置１１への表示画面Ｇ９において、管理者等が、「再生方向」にて「逆方向」を指定すると、管理サーバ１０は、加工遊技履歴情報１３Ａ、１３Ｍにおける「累積データ（逆方向）」の値を、時刻の経過に対して遡る方向に表示していく。
また、例えば表示装置１１が２台の場合、表示画面Ｇ９における２００６年４月２６日の累積データと２００６年４月２７日の累積データとを、２台の表示装置１１のそれぞれに表示させることで並べて表示するようにしてもよい。
【００４２】
「再生方向」にて「逆方向」を選択し、「再生」ボタンを操作すると、まず、加工遊技履歴情報１３Ａ、１３Ｍにおける「時刻２２：００」の「累積データ（逆方向）」が表示装置１１に表示される（図１５の例では累積データを棒グラフ状に表示している）。そして表示間隔時間（例えば１秒）が経過すると、次のデータである「時刻２１：５０」の「累積データ（逆方向）」が表示装置１１に表示される。以降、表示間隔時間が経過する毎に、次の累積データ（逆方向）が表示装置１１に表示され、連続表示される。
連続表示を実行中に「停止」ボタンが操作されると、その時点で表示している累積データ（逆方向）を表示した状態にて停止し、表示間隔時間毎の連続表示を停止する。そして、停止中に「再生」ボタンが操作されると、停止位置の累計時刻から、時刻の経過に対して遡る方向への再生を再開し、停止中に「逆再生」ボタンが操作されると、停止位置の累計時刻から、時刻の経過する方向への再生を行う。
【００４３】
次に、図１６（Ａ）及び（Ｂ）を用いて、時刻の経過する方向に求めた累積データ（順方向）の表示と、時刻の経過に対して遡る方向に求めた累積データ（逆方向）の表示の違いについて、詳細に説明する。
例えば、指定営業日として２００６年４月２６日に指定し、指定遊技機として１番台と２１番台を指定し、指定遊技データとしてアウト数を指定した場合におけるグラフの例を図１６（Ａ）及び（Ｂ）に示す。
図１６（Ａ）のグラフは、縦軸を累積データ（順方向）、横軸を時刻（経過する方向）とした折れ線グラフを示しており、図１６（Ｂ）のグラフは、縦軸を累積データ（逆方向）、横軸を時刻（経過に対して遡る方向）とした折れ線グラフを示している。
図１６（Ａ）に示すグラフの場合、２本のグラフは、時刻１４：００〜２２：００の部分では、ほぼ平行に推移しており、累積データの差の変化が小さい。これを図１５に示す棒グラフ状に表示装置１１に表示すると、時刻１４：００〜２２：００の部分では、２つの棒グラフがほぼ一定の差を維持しながら徐々に高くなるように動画状に表示される。
【００４４】
これに対して図１６（Ｂ）に示すグラフの場合、２本のグラフは、時刻２２：００〜１４：００の部分では、ほぼ同じ値で推移している。これを図１５に示す棒グラフ状に表示装置１１に表示すると、時刻２２：００〜１４：００の部分では、２つの棒グラフがほぼ同じ高さで徐々に高くなるように動画状に表示される。そして、時刻１４：００〜１２：００の部分では、２１番台のグラフの方が高い値を示し、時刻１２：００〜１０：００の部分では１番台の方が高い値を示す。
このように、時刻の経過する方向に累積した場合では累積データの変化の違いが同じなのか異なるのか判断が困難な場合、時刻の経過に対して遡る方向に累積データを求めると、累積データの変化の違いが現れる部分を明確にすることができる場合がある。図１６の例では、時刻の経過に対して遡る方向に累積データを求めた場合、時刻１４：００〜１０：００の部分にて、累積データの変化の違いが明確に現れた例を示している。
【００４５】
図１５の表示装置１１への表示の例では、２つの異なる指定遊技機の累積データを並べて表示装置１１に表示したが、別々に表示されるように構成してもよい。しかし、並べて表示するほうが、２つの累積データの違いを容易に認識できるので好ましい。
また、図１５の表示装置１１への表示の例では、２つの異なる指定遊技機の累積データを並べて表示装置１１に表示したが、予め記憶装置に、複数の遊技機で構成されたグループを複数設定しておき、指定遊技機として１つ以上のグループを指定可能に構成することもできる。この場合、図１５の表示画面Ｇ９の例において、グループを構成している各遊技機の累積データが表示される。
また、指定遊技機として２つ以上のグループを指定可能として、図１５の表示装置１１への表示において、累積データをグループ毎に平均化した平均累積データを表示するように構成することもできる。例えば、指定遊技機としてグループＡ（１番台〜１０番台）とグループＢ（１１番台〜３０番台）を指定した場合、１番台〜１０番台の累積データを平均化したグループＡの平均累積データと、１１番台〜３０番台の累積データを平均化したグループＢの平均累積データが表示装置１１に表示される。
【００４６】
また、図１５の表示画面Ｇ９の例では、累積間隔時間毎の累積データを、表示間隔時間毎に表示装置１１に連続表示して動画状に表示したが、第２の実施の形態では、特に動画表示を行わずに、図１６（Ｂ）に示すような全体（開始時刻（２２：００）〜終了時刻（１０：００））を一覧可能なグラフとして静止画状態で表示するようにしてもよい。
また、グラフ表示でなく、図１２に示す遊技場内マップを表示して、累積データに応じた色彩を用いて、表示間隔時間毎に連続表示するように構成してもよい。
また、指定遊技機は、１つのみを指定してもよい。
【００４７】
本発明の遊技データ分析支援装置は、本実施の形態で説明した外観、構成、処理、表示例等に限定されず、本発明の要旨を変更しない範囲で種々の変更、追加、削除が可能である。
また、本実施の形態の説明に用いた数値は一例であり、この数値に限定されるものではない。
また、以上（≧）、以下（≦）、より大きい（＞）、未満（＜）等は、等号を含んでも含まなくてもよい。
【図面の簡単な説明】
【００４８】
【図１】遊技場における各機器の接続の例を説明する図である。
【図２】台ユニット３０と遊技機５０（及び遊技機５０の周辺機器）、台ユニット３０と島ユニット２０、島ユニット２０と管理サーバ１０、台端末装置４０と管理サーバ１０の接続を説明する図である。
【図３】遊技履歴情報１２Ａ等の例を説明する図である。
【図４】加工遊技履歴情報１３Ａ、１３Ｂの例を説明する図である。
【図５】累積間隔時間毎の指定遊技データの集計結果に基づいた累積データを、表示間隔時間毎に表示装置１１に連続表示した表示画面Ｇ１の例を説明する図である。
【図６】指定遊技機が複数の場合における加工遊技履歴情報の例を説明する図である。
【図７】指定遊技機が複数の場合における表示画面Ｇ２の例を説明する図である。
【図８】指定遊技機が複数の場合における表示画面Ｇ３の例を説明する図である。
【図９】複数のグループを指定遊技機として指定し、グループ毎に平均化した表示画面Ｇ４の例を説明する図である。
【図１０】１つのグループを指定遊技機として指定し、当該グループにて平均化した平均累積データを表示画面Ｇ５に表示した例を説明する図である。
【図１１】累積データを並べて且つ連続表示する、その他の例として説明する表示画面Ｇ６である。
【図１２】累積データを並べて且つ連続表示する、その他の例として説明する表示画面Ｇ７である。
【図１３】基準とする遊技データを指定して、この基準遊技データの所定値毎に指定遊技データの累積データを求めて、表示間隔時間毎に連続表示する表示画面Ｇ８の例を説明する図である。
【図１４】加工遊技履歴情報１３Ａ、１３Ｍの例を説明する図である。
【図１５】累積データを、時刻が経過する方向に対して遡る方向に、表示間隔時間毎に表示装置１１に連続表示した表示画面Ｇ９の例を説明する図である。
【図１６】時刻の経過する方向に求めた累積データのグラフの例（Ａ）と、時間の経過する方向に対して遡る方向に求めた累積データのグラフの（Ｂ）と、を説明する図である。
【符号の説明】
【００４９】
１０      管理サーバ
１１      表示装置
２０      島ユニット
３０      台ユニット
４０      台端末装置（遊技媒体貸出装置）
５０      遊技機
６０      台表示機
７０      プリペイドカード発行機
７１      計数器
７２      景品交換機
８１、８２、９１    通信回線
１２Ａ    遊技履歴情報
【図１】
2007319591.tif 000003
【図２】
2007319591.tif 000004
【図３】
2007319591.tif 000005
【図４】
2007319591.tif 000006
【図５】
2007319591.tif 000007
【図６】
2007319591.tif 000008
【図７】
2007319591.tif 000009
【図８】
2007319591.tif 000010
【図９】
2007319591.tif 000011
【図１０】
2007319591.tif 000012
【図１１】
2007319591.tif 000013
【図１２】
2007319591.tif 000014
【図１３】
2007319591.tif 000015
【図１４】
2007319591.tif 000016
【図１５】
2007319591.tif 000017
【図１６】
2007319591.tif 000018